(57)【要約】      （修正有）【課題】ブランクシートの使用面積が小さく、糊を付ける面積や箇所も少なく、組立工程が簡単な包装用箱を提供する。【解決手段】一枚のブランクシートから一体的に打ち抜かれた箱体形成片１２から成り、箱体形成片には、互いに平行に連接され筒体に組み立てられる側面１４，１６，１８，２０と、側面１４に折罫線２４を介して連接され反対側の端部に位置する糊付片２２を備える。互いに糊付けされた糊付片２２の外側に位置する表示部３２を備え、表示部３２の表面には、収容物についての情報を示す表示事項５６が印刷されている。表示部３２の端部には摘み部３４を有し、摘み部３４の基端部両側に連続して、表示部３２を周囲と区切る破断線３７を備える。連接方向に対して直交する辺３２ａの両側に糊５４が塗布され、側面２０と糊付片２２が糊付けされている。【選択図】図３
0003184603.tif 000002
【実用新案登録請求の範囲】
【請求項１】
一枚のブランクシートから一体的に打ち抜かれた箱体形成片から成り、前記箱体形成片には、互いに平行に連接され筒体に組み立てられる側面と、前記側面の一つに折罫線を介して連接され反対側の端部に位置する前記側面の表面または裏面に重ねて糊付けされる糊付片が設けられ、互いに糊付けされた前記糊付片または前記側面のうちいずれか外側に位置する部材に表示部が設けられ、
前記表示部の表面には収容物についての情報を示す表示事項が印刷されて設けられ、前記表示部の端部には摘み部が折罫線で区切られて設けられ、前記摘み部の基端部両側に連続して前記表示部を周囲と区切る破断線が設けられ、
前記表示部は、前記糊付片または前記側面の連接方向と直交する方向の両側に位置した部分の前記側面と前記糊付片が糊付けされていることを特徴とする包装用箱。
【請求項２】
前記表示部は、前記糊付片または前記側面の連接方向と直交する幅方向の中心付近に設けられ、前記糊付片または前記側面の連接方向に対して平行な辺を有する矩形であり、前記表示部の角部には、変形した矩形の前記摘み部が前記表示部から外側に突出して設けられ、前記摘み部を前記表示部と区切る前記折罫線は直線であり、前記折罫線は、前記摘み部が設けられた前記角部を面取りする方向に沿って設けられている請求項１記載の包装用箱。
【請求項３】
前記表示部は前記糊付片に設けられ、前記糊付片は前記側面よりも小さく形成され前記側面の外側に糊付けされ、前記表示部と前記摘み部は、前記糊付片の連接方向の側縁部から外側に突出して前記糊付片に糊付けされる前記側面に収まる大きさに形成されている請求項１記載の包装用箱。
【請求項４】
前記表示部は前記側面に設けられ、前記側面の裏面に糊付けされる前記糊付片は前記側面と重なって前記表示部より大きく形成され、前記表示部と前記摘み部は、前記側面の連接方向の側縁部に隣接して前記側面内に形成され、前記摘み部は前記側面の前記側縁部からわずかに外側に突出して形成されている請求項１記載の包装用箱。
【請求項５】
前記表示部は、前記側面の連接方向の幅一杯に設けられ、前記破断線が前記側面を区切る折罫線と一致している請求項４記載の包装用箱。
【請求項６】
前記表示部を前記糊付片と区切る前記破断線は、ジッパー線である請求項１乃至５のいずれかに記載の包装用箱。
【考案の詳細な説明】
【技術分野】
【０００１】
この考案は、取り外し可能な表示部が一体に設けられ、表示部には収容物に関する情報が印刷されている包装用箱に関する。
【背景技術】
【０００２】
従来、商品を収容して保管や陳列を行う包装用箱は、箱体表面に収容物の名称や特性についての情報等が印刷されたものがある。そして、箱体表面に印刷された情報を利用するため、箱体本体の一部を情報が印刷された部分を囲んで切断して表示部として利用するものがある。たとえば、特許文献１に開示されている包装容器は、複数の側面から成り、そのうちの少なくとも一面が開封部を有する開封面で、前記開封面と異なる面の少なくとも一面が外側片及び内側片からなる二重構造であり、外側片には内容物情報が印刷され、外側片の一部または全部が切除されるように、内容物情報の周囲に切除部が構成されている。
【先行技術文献】
【特許文献】
【０００３】
【特許文献１】実用新案登録第３１７２０９９号公報
【考案の概要】
【考案が解決しようとする課題】
【０００４】
上記背景技術の場合、外側片及び内側片からなる二重構造とするために、箱体を形成する４個の側面と、糊付をするための折返片の他に、情報カードが設けられた外側片が設けられている。このため、ブランクシートの使用面積が広くなり、また糊を付ける面積や箇所が多くなり、組立工程が面倒でコストがかかるものである。さらに、情報カードは各側面の連接方向の端部に達して設けられているため、情報カードを外した後は外側片の端部が欠けて外観に違和感が生じるものである。
【０００５】
この考案は、上記背景技術の問題点に鑑みてなされたものであり、簡単な構造で収容物を説明する表示事項が設けられた表示部を側面又は側面に糊付けされる糊付片の一部に設けることができ、表示部を簡単に取り外して在庫の管理等に利用することができる包装用箱を提供することを目的とする。
【課題を解決するための手段】
【０００６】
本考案は、一枚のブランクシートから一体的に打ち抜かれた箱体形成片から成り、前記箱体形成片には、互いに平行に連接され筒体に組み立てられる側面と、前記側面の一つに折罫線を介して連接され反対側の端部に位置する前記側面の表面または裏面に重ねて糊付けされる糊付片が設けられ、互いに糊付けされた前記糊付片または前記側面のうちいずれか外側に位置する部材に表示部が設けられている包装用箱である。前記表示部の表面には収容物についての情報を示す表示事項が印刷されて設けられ、前記表示部の端部には摘み部が折罫線で区切られて設けられ、前記摘み部の基端部両側に連続して前記表示部を周囲と区切る破断線が設けられている。前記表示部は、前記糊付片または前記側面の連接方向と直交する方向の両側に位置した部分の前記側面と前記糊付片が糊付けされている。
【０００７】
また、前記糊付片または前記側面の連接方向と直交する幅方向の中心付近に設けられ、前記表示部は前記糊付片または前記側面の連接方向に対して平行な辺を有する矩形であり、前記表示部の角部には、変形した矩形の前記摘み部が前記表示部から外側に突出して設けられ、前記摘み部を前記表示部と区切る前記折罫線は直線であり、前記折罫線は、前記摘み部が設けられた前記角部を面取りする方向に沿って設けられている。
【０００８】
前記表示部は前記糊付片に設けられ、前記糊付片は前記側面よりも小さく形成され、前記側面の外側に糊付けされ、前記表示部と前記摘み部は、前記糊付片の連接方向の側縁部から外側に突出して前記糊付片に糊付けされる前記側面に収まる大きさに形成されている。
【０００９】
前記表示部は前記側面に設けられ、前記側面の裏面に糊付けされる前記糊付片は前記側面と重なって前記表示部より大きく形成され、前記表示部と前記摘み部は、前記側面の連接方向の側縁部に隣接して前記側面の内側に形成され、前記摘み部は前記側面の前記側縁部からわずかに外側に突出して形成されている。前記表示部は、前記側面の連接方向の幅一杯に設けられ、前記破断線が前記側面を区切る折罫線と一致しているものでも良い。前記表示部を前記糊付片と区切る前記破断線は、ジッパー線であると良い。
【考案の効果】
【００１０】
本考案の包装用箱は、簡単な構造で収容物を説明する表示事項が設けられた表示部を側面または側面に糊付けする糊付片の一部に設けることができ、表示部を簡単に取り外して、在庫の管理等に利用することができる。表示部の角部には、面積が大きい摘み部が設けられているため、容易に摘み部を持って表示部を外すことができる。また、表示部を外した後は、箱体が壊れたり大きく穴があいたりすることがなく、収容物を継続して包装することができる。
【図面の簡単な説明】
【００１１】
【図１】この考案の第一実施形態の包装用箱の斜視図である。
【図２】この考案の第一実施形態の包装用箱の使用状態を示す斜視図である。
【図３】この考案の第一実施形態の包装用箱の展開図である。
【図４】この考案の第二実施形態の包装用箱の斜視図である。
【図５】この考案の第二実施形態の包装用箱の使用状態を示す斜視図である。
【図６】この考案の第二実施形態の包装用箱の展開図である。
【図７】この考案の第三実施形態の包装用箱の斜視図である。
【図８】この考案の第三実施形態の包装用箱の展開図である。
【考案を実施するための形態】
【００１２】
以下、この考案の実施形態について図面に基づいて説明する。図１〜図３はこの考案の第一実施形態を示すもので、この実施形態の包装用箱１０は、紙製等の一枚のブランクシートを打ち抜いて形成された箱体形成片１２を組み立てて設けられている。
【００１３】
図３は、箱体形成片１２を表面から見た展開図であり、箱体形成片１２は、側面１４，１６，１８，２０が、互いに平行に連接して形成されている。側面１４，１６，１８，２０は、連接方向と直交する幅方向の長さは同じ長さであり、それと直交する連接方向の長さは、側面１４，１８が少し長くて互いにほぼ等しく、側面１６，２０がわずかに短くて互いにほぼ等しい。側面１４の側縁部には、包装用箱１０の組立状態で側面２０の表面に糊付けされる糊付片２２が設けられている。そして、糊付片２２、側面１４，１６，１８，２０は、各々折罫線２４，２６，２８，３０で区切られている。
【００１４】
糊付片２２内には、表示部３２が設けられている。表示部３２は、折罫線２４に隣接する矩形であり、折罫線２４に一致し折罫線２４よりも短い辺３２ａと、辺３２ａより僅かに長く折罫線２４より短い長さであり、互いに平行で糊付片２２の側縁部２２ａよりも外側に突出して設けられた辺３２ｂと、辺３２ａの両端部と辺３２ｂの両端部を結ぶ辺３２ｃ，３２ｄで囲まれた略長方形である。辺３２ａと辺３２ｂの間隔は、組立状態で糊付けされる側面２０の連接方向の長さにほぼ等しい。
【００１５】
表示部３２の長方形の辺３２ｃには、辺３２ｂに連続する角部に、台形の摘み部３４が一体に設けられている。摘み部３４は、辺３２ｄと平行な線分であって長方形の辺３２ｃ上の線分を下底とし、辺３２ｃに対して平行な先端縁が形成されて上底とし、辺３２ｂの延長線上に位置する辺の長さを高さとする。摘み部３４の基端部は、辺３２ｃの摘み部３４の台形の下底と重なる端縁部から斜めに設けられた直線の折罫線３６で、表示部３２と区切られている。折罫線３６は、辺３２ｃと摘み部３４の端縁部から、辺３２ｂに達し、辺３２ｂに近づくにつれて辺３２ｃから離れて辺３２ｂの中心側へ近づく傾斜、即ち辺３２ｃと辺３２ｂで作られた角部を面取りする方向に沿って設けられている。辺３２ａと、辺３２ａに隣接する辺３２ｃ，３２ｄの一部は、側面１４または糊付片２２に隣接し、コ字状に形成されたジッパー線３７が設けられて区切られている。ここでは、表示部３２の周縁部の半分以上の長さが糊付片２２の側縁部２２ａから突出して開放され、表示部３２の周縁部の残りの長さが糊付片２２と側面１４に接して、ジッパー線３７が設けられている。
【００１６】
側面１４の、側面同士の連接方向に対して直角な方向の一対の端部には、矩形の蓋片３８が折罫線４０で区切られて各々設けられている。蓋片３８の折罫線４０と反対側の端部には、さらに各々差込片４２が折罫線４４で区切られて設けられている。
【００１７】
側面１６の、側面同士の連接方向に対して直角な方向の一対の端部には、矩形のフラップ４６が折罫線４８で区切られて各々設けられている。さらに、側面２０の、側面同士の連接方向に対して直角な方向の一対の端部には、矩形のフラップ５０が折罫線５２で区切られて各々設けられている。
【００１８】
表示部３２と摘み部３４には、収容物について説明する表示事項５６が印刷されている。表示事項５６は、文字や記号等で形成され、摘み部３４には開けることを示す文字等が形成されてもよい。側面２０の、包装用箱１０を組み立てた状態で表示部３２に重なる部分には、表示事項５６と同様の又は異なる内容の必要な表示事項５８が印刷されている。収容物が薬剤の場合、商品名や製造番号等が印刷される。
【００１９】
次に、この実施形態の包装用箱１０の組立方法の一例について説明する。なお、ここでは図３が包装用箱１０の箱体形成片１２の表面を見たものであり、箱体形成片１２の表面が凸になる折り方を正折り、そして裏面が凸になる折り方を逆折りと称する。
【００２０】
まず、糊付片２２の裏面であって、表示部３２の両側に位置した糊付片２２に糊５４を塗布する。そして折罫線２８を正折りし、次に折罫線２４を正折りする。これにより、側面２０の表面に、糊５４により糊付片２２が糊付けされる。これにより、折り畳み状態となり、この状態で箱体形成片１２による折り畳み状態の包装用箱１０が出荷される。
【００２１】
次に、収容物を収容し包装する工場等において、折罫線２４，２６，２８，３０を各々９０°に正折りして図１に示すように四角形の箱体にする。箱体の一方の端部の折罫線４８，５２でフラップ４６，５０を９０°に正折りし、折罫線４０で蓋片３８を９０°に正折りし、差込片４２を折罫線４４で正折りする。このとき差込片４２を側面１８の裏面に差し込み、係止し、一方の端部の開口を閉鎖する。次に、組み立てられた側面１４，１６，１８，２０と蓋片３８から成る箱体の内側に収容物を入れ、同様の工程で他方の端部に蓋片３８を係止して、他方の端部の開口を閉鎖する。これで図１に示すように組み立てが完了する。このとき、糊付片２２と表示部３２が側面２０の一部を覆い、表示部３２と摘み部３４は、側面２０に糊付けされていない。このため、側面２０と表示部３２との間にわずかな隙間が生じるが、側面１４から連続して、辺３２ｃ，３２ｄが折罫線２４で直角に折れて側面２０に重なり、辺３２ｃ，３２ｄは両側の糊付片２２に隣接して糊付けされているため、安定して取り付けられる。
【００２２】
次に、包装用箱１０の使用方法について説明する。包装用箱１０に入れられた薬剤等の商品を棚等に置いて在庫等の管理をする場合、商品である収容物の内容を表示するために、表示部３２を切り離して棚のフレーム材等に貼り付ける。切り離す方法は、まず摘み部３４に指をかけ、折罫線３６で逆折りしながら側面２０から引き起こす。このとき、表示部３２と摘み部３４は、側面２０に糊付けされていないことから側面２０との間にわずかな隙間が生じているため、指を摘み部３４の裏面に差し込みやすい。さらに力を加えると辺３２ｃ、辺３２ａ、３２ｄの順番でジッパー線３７が切断され、表示部３２が箱体本体から切り離される。表示部３２を切り離した後は、側面２０に表示事項５６と同様の又は異なる内容の必要な表示事項５８が露出し、収容物についての情報がわかる。
【００２３】
この実施形態の包装用箱１０によれば、簡単な構造で、収容物を説明する表示事項５６が設けられた表示部３２を一体に設けることができ、組立工程が簡単である。表示部３２はジッパー線３７で箱体本体と区切られ、ジッパー線３７を切断して簡単に取り外し、商品棚等に貼り付けて、在庫や商品内容の管理等を行うことができる。これにより、商品管理のミスを防ぎ、特に薬剤等の商品の使用の安全性を高めることができる。
【００２４】
その他、側面２０と糊付片２２は表示部３２の両脇で糊付けされているため、表示部３２を外した後は、側面２０が露出し、また側面２０と糊付片２２の糊付けされた状態が維持され、箱体が壊れたり大きく穴があいたりすることがなく、外観に違和感がなく、収容物を継続して包装することができる。
【００２５】
摘み部３４は大きく形成され、糊付片２２から突出して設けられ、側面２０との間にわずかな隙間があるため簡単に摘んで引き起こすことができる。摘み部３４は、表示部３２とは折罫線３６で区切られて設けられているため、摘み部３４を持って側面２０から離れる方へ引くと容易に折罫線３６が折れて持ちやすくなる。
【００２６】
またジッパー線３７は表示部３２の周縁部の半分以下であるので、短時間で切断して簡単に表示部３２を切り離すことができる。表示部３２は、側面２０に糊付けされていないため、小さい力で外すことができる。表示部３２を外した後に露出する側面２０には、表示事項５８が印刷され、表示部３２がなくても収容物についての情報を確認することができる。表示部３２の両脇が側面２０に糊付けされているため、表示部３２と側面２０の間にわずかな隙間が生じても安定し、他の部材に不用意に引っ掛かることがない。
【００２７】
次にこの考案の第二実施形態について図４〜図６に基づいて説明する。なお、ここで、上記実施形態と同様の部材は同様の符号を付して説明を省略する。この実施形態の包装用箱６０は、紙製等の一枚のブランクシートを打ち抜いて形成された箱体形成片６２を組み立てて設けられている。
【００２８】
図６は、箱体形成片６２を表面から見た展開図であり、箱体形成片６２は、側面１４，１６，１８，６４が、互いに平行に連接して形成されている。側面１４の側縁部には、包装用箱６０の組立状態で側面６４の裏面に糊付けされる糊付片６５が設けられている。糊付片６５は、側面１６とほぼ同じ形状に形成されている。そして、糊付片６５、側面１４，１６，１８，６４は、各々折罫線２４，２６，２８，３０で区切られている。
【００２９】
側面６４内には、表示部６６が設けられている。表示部６６は、折罫線３０と、折罫線３０の反対側の側縁部に達する略矩形であり、折罫線３０に一致し折罫線３０よりも短い辺６６ａと、辺６６ａと互いに平行で側面６４の側縁部に一致する辺６６ｂと、辺６６ａの両端部と辺６６ｂの両端部を結ぶ辺６６ｃ，６６ｄで囲まれた略長方形である。
【００３０】
表示部６６の長方形の辺６６ｃには、辺６６ｂに連続する角部に、台形の摘み部６８が一体に設けられている。摘み部６８は、辺６６ｄと平行な線分であって長方形の辺６６ｃ上の線分を下底とし、辺６６ｃに対して平行な先端縁が形成されて上底とし、辺６６ｂの延長線上に位置する辺の長さを高さとする。摘み部６８の基端部は直線の折罫線７０で表示部６６と区切られ、折罫線７０は、辺６６ｃと摘み部６８の端縁部が交差する角部から、辺６６ｂに達して設けられ、辺６６ｂに近づくにつれて辺６６ｃから離れて辺６６ｂの中心側へ近づく傾斜、即ち辺６６ｃと辺６６ｂで作られた角部を面取りする方向に沿って設けられている。摘み部６８の、辺６６ｂの延長線上に位置する辺は、わずかに辺６６ｂよりも外側に平行移動して突出している。表示部６６の辺６６ａ，６６ｃ，６６ｄと、摘み部６８の周縁部は、側面１８，６４に接してジッパー線７２が設けられて区切られている。
【００３１】
表示部６６と摘み部６８には、収容物について説明する表示事項７４が印刷されている。糊付片６５の、包装用箱６０を組み立てた状態で表示部６６に重なる部分には、表示事項７４と同様の又は異なる内容の必要な表示事項７６が印刷されている。
【００３２】
次に、この実施形態の包装用箱６０の組立方法の一例について説明する。なお、ここでは図６が包装用箱６０の箱体形成片６２の表面を見たものであり、箱体形成片６２の表面が凸になる折り方を正折り、そして裏面が凸になる折り方を逆折りと称する。
【００３３】
まず、糊付片６５の表面に、表示部６６の両脇に位置する２箇所に糊５４を塗布する。そして、折罫線２６を正折りし、次に折罫線３０を正折りする。これにより、側面６４の裏面に、糊５４により糊付片６５が糊付けされる。これにより、折り畳み状態となり、この状態で箱体形成片６２による折り畳み状態の包装用箱６０が出荷される。
【００３４】
次に、収容物を収容し包装する工場等において、折罫線２４，２６，２８，３０を各々９０°に正折りして図４に示すように四角形の箱体にする。箱体の一方の端部の折罫線４８，５２でフラップ４６，５０を９０°に正折りし、折罫線４０で蓋片３８を９０°に正折りし、差込片４２を折罫線４４で正折りする。このとき差込片４２を側面１８の裏面に差し込み、係止し、一方の端部の開口を閉鎖する。次に、組み立てられた側面１４，１６，１８，６４と蓋片３８から成る箱体の内側に収容物を入れ、同様の工程で他方の端部に蓋片３８を係止して、他方の端部の開口を閉鎖する。これで図４に示すように組み立てが完了する。表示部６６の辺６６ｂは、側面１４の折罫線２４に一致し、摘み部６８の、辺６６ｂの延長線上に位置する辺は、わずかに折罫線２４よりも外側に突出している。
【００３５】
次に、包装用箱６０の使用方法について説明する。包装用箱６０に入れられた薬剤等の商品を棚等に置いて在庫等の管理をする場合、商品である収容物の内容を表示するために、表示部６６を切り離して棚のフレーム材等に貼り付ける。切り離す方法は、まず、摘み部６８に指をかけ、折罫線７０で逆折しながら側面６４から引き起こす。このとき、摘み部６８の一部はわずかに折罫線２４よりも外側に突出しているため、指を摘み部６８の裏面に差し込みやすい。さらに力を加えると、辺６６ｃ、辺６６ａ、辺６６ｄの順番でジッパー線７２が切断され、表示部６６が箱体本体から切り離される。表示部６６を切り離した後は、糊付片６５に表示事項７４と同様の又は異なる内容の必要な表示事項７６が露出し、収容物についての情報がわかるようになる。
【００３６】
この実施形態の包装用箱６０によれば、上記実施の形態と同様の効果を有するものである。表示部６６は、摘み部６８がわずかに折罫線２４よりも外側に突出しているため、指をかけやすくなり、容易に摘み部６８を持って表示部６６を引き上げ、ジッパー線７２を切断して、表示部６６を外すことができる。表示部６６を外した後は、糊付片６５が露出し、糊付片６５は表示部６６の両脇で糊付けされているため、表示部６６を外した後は、側面６４と糊付片６５の糊付けされた状態を維持し、箱体が壊れたり大きく穴があいたりすることがなく、収容物を継続して包装することができる。表示部６６を外した後に露出する糊付片２２には、表示事項７４と同様の又は異なる内容の必要な表示事項７６が印刷されており、表示部６６がなくても収容物についての情報を確認することができる。
【００３７】
次にこの考案の第三実施形態について図７、図８に基づいて説明する。なお、ここで、上記実施形態と同様の部材は同様の符号を付して説明を省略する。この実施形態の包装用箱８０は、紙製等の一枚のブランクシートを打ち抜いて形成された箱体形成片８２を組み立てて設けられている。
【００３８】
図８は、箱体形成片８２を表面から見た展開図であり、箱体形成片８２は、側面１４，１６，１８，８４が、互いに平行に連接して形成されている。側面１４の側縁部には、包装用箱８０の組立状態で側面８４の裏面に糊付けされる糊付片６５が設けられている。糊付片６５は、側面１６とほぼ同じ形状に形成されている。そして、糊付片６５、側面１４，１６，１８，８４は、各々折罫線２４，２６，２８，３０で区切られている。
【００３９】
側面８４内には、表示部８６が設けられている。表示部８６は、折罫線３０よりも側面８４の端縁部寄りに位置し折罫線３０と平行な辺８６ａを有した長方形に形成されている。辺８６ａは、折罫線３０よりも短く、辺８６ａと平行な辺８６ｂが側面８４の側縁部に一致し、辺８６ａ，８６ｂの両端部が辺８６ｃ，８６ｄにより結ばれている。
【００４０】
表示部８６の長方形の辺８６ｃには、辺８６ｂに連続する角部に、台形の摘み部８８が一体に設けられている。摘み部８８は、辺８６ｄと平行な線分であって長方形の辺８６ｃ上の線分を下底とし、辺８６ｃに対して平行な先端縁が形成されて上底とし、辺８６ｂの延長線上に位置する辺の長さを高さとする。摘み部８８の基端部は直線の折罫線９０で表示部８６と区切られ、折罫線９０は、辺８６ｃと摘み部８８の端縁部が交差する角部から、辺８６ｂに達して設けられ、辺８６ｂに近づくにつれて辺８６ｃから離れて辺８６ｂの中心側へ近づく傾斜、即ち辺８６ｃと辺８６ｂで作られた角部を面取りする方向に沿って設けられている。摘み部８８の、辺８６ｂの延長線上に位置する辺は、わずかに辺８６ｂよりも外側に平行移動して突出している。表示部８６の辺８６ａ，８６ｃ，８６ｄと、摘み部８８の周縁部は、側面８４の内側に位置して、ジッパー線９２が設けられて区切られている。
【００４１】
表示部８６と摘み部８８には、収容物について説明する表示事項９４が印刷されている。糊付片６５の、包装用箱８０を組み立てた状態で表示部８６に重なる部分には、表示事項９４と同様の又は異なる内容の必要な表示事項９６が印刷されている。
【００４２】
この実施形態の包装用箱８０の組立方法及び使用方法は、上記実施形態と同様であり、同様の機能を有し、同様の作用効果を有する。さらに、表示部８６が、側面８４の幅よりも狭く形成され、表示部８６を切り取った後の包装用箱８０の形状が確実に維持され、開口部が形成されることもない。
【００４３】
なお、この考案は、上記各実施形態に限定されるものではなく、各側面や表示部、摘み部の大きさや形状等、自由に変更可能であり、蓋片の構造等も自由に変更可能である。表示部と摘み部を区切る折罫線は、複数本設けられてもよい。ジッパー線は、ミシン線でもよく、ブランクシートの厚みの半分を切断した半切り線等でもよく、円滑に切断できるものであればよい。
【符号の説明】
【００４４】
１０，６０，８０  包装用箱
１２，６２，８２  箱体形成片
１４，１６，１８，２０，６４，８４  側面
２２，６５  糊付片
３２，６６，８６  表示部
３４，６８，８８  摘み部
２４，２６，２８，３０，３６，７０，９０  折罫線
３７，７２，９２  ジッパー線
５６，５８，７４，７６，９４，９６  表示事項
【図１】
0003184603.tif 000003
【図２】
0003184603.tif 000004
【図３】
0003184603.tif 000005
【図４】
0003184603.tif 000006
【図５】
0003184603.tif 000007
【図６】
0003184603.tif 000008
【図７】
0003184603.tif 000009
【図８】
0003184603.tif 000010